(57)【要約】【課題】良好な防水性能を備えた金属製建具の竪枠と横枠の接続部を提供する。【解決手段】第１部材（横枠）の長さ方向端部を第２部材（竪枠）の面部に固定した位置決め組立体に仮固定した状態において、第２要素９のはみ出し部位９２は、第１部材の長さ方向に沿う第１部分９２０と、第２部材の長さ方向に沿う第２部分９２１と、に変形されており、第１部材の長さ方向端部の内側面が第１部分９２０の第１面９０に密着し、第３要素１０の外縁１０２が第１部分９２０の第２面９１に密着しており、第１部材の長さ方向端部の端縁面が第２部分９２１の第１面９０に密着し、第２部材の面部が第２部分９２１の第２面９１に密着している。【選択図】図６
2014125836.tif 000002
【特許請求の範囲】
【請求項１】
金属製建具の接続部の防水構造であって、
金属製建具は、いずれか一方が竪枠であり、他方が横枠である第１部材と、第２部材と、を備え、
第１部材は外側面と内側面とを備えた中空枠であり、長さ方向端部が第２部材の面部に固定されており、
前記防水構造は、
可撓性防水シートと、
外縁によって外形が規定され、前記可撓性防水シートよりも小さい外形を備えた押し当て部材と、
を備え、
前記可撓性防水シート及び前記押し当て部材は、当該可撓性防水シートの周縁部位が当該押し当て部材の外縁からはみ出したはみ出し部位を形成するように、第２部材の面部に固定されており、
前記はみ出し部位は、第１面と、第２面と、を備えており、
前記はみ出し部位は、第１部材の長さ方向に沿う第１部分と、第２部材の長さ方向に沿う第２部分と、に変形されており、
第１部材の長さ方向端部の内側面が第１部分の第１面に密着し、押し当て部材の外縁が第１部分の第２面に密着しており、
第１部材の長さ方向端部の端縁面が第２部分の第１面に密着し、第２部材の前記面部が第２部分の第２面に密着している、
金属製建具における竪枠と横枠の接続部の防水構造。
【請求項２】
第１部材は、第２部材の面部に固定された位置決め組立体を介して当該第２部材に仮固定され、
前記位置決め組立体は、
外縁によって外形が規定され、第１部材の長さ方向端部が外嵌されるガイド体である第１要素と、
第１部材の外側形状よりも大きい面積の前記可撓性防水シートからなる第２要素と、
外縁によって外形が規定され、第１要素よりも小さい外形を備えた前記押し当て部材からなる第３要素と、
を備え、
第１要素と第３要素の間に第２要素を挟み込み、第３要素の外縁を第１要素の外縁よりも内方に位置させて第２要素を挟んで外縁の段差を形成し、第２要素の周縁部位が第１要素及び第３要素の外縁からはみ出したはみ出し部位を形成し、第３要素が第２部材の面部に当接された状態で、第２部材の面部に固定されており、
前記はみ出し部位は、第１要素側の第１面と、第３要素側の第２面と、を備えており、
前記第１部材の長さ方向端部を前記位置決め組立体に仮固定した状態において、
前記はみ出し部位は、第１部材の長さ方向に沿う第１部分と、第２部材の長さ方向に沿う第２部分と、に変形されており、
第１部材の長さ方向端部の内側面が第１部分の第１面に密着し、第３要素の外縁が第１部分の第２面に密着しており、
第１部材の長さ方向端部の端縁面が第２部分の第１面に密着し、第２部材の前記面部が第２部分の第２面に密着している、
請求項１に記載の金属製建具における竪枠と横枠の接続部の防水構造。
【発明の詳細な説明】
【技術分野】
【０００１】
本発明は、金属製建具における竪枠と横枠の接続部の防水構造に関するものである。
【背景技術】
【０００２】
スチール、ステンレス等の金属製建具における枠組付け構造が特許文献１に記載されている。かかる構造では、竪枠の見込面に固定した横枠位置決め手段を用いて横枠を竪枠に仮固定し、竪枠と横枠とを螺子で固定している。竪枠と横枠の接続部はいわゆるメタルタッチとなるため、室外に面する金属製建具においては、竪枠と横枠の接続部の防水処理が不十分であると、枠内に雨水が浸入し枠の腐食や室内への漏水の原因となり得る。
【０００３】
特許文献２は、竪部材と横部材のいずれか一方の部材の見込壁の取付面に他方の部材の端面を、シート状防水材を介在させて当接させた竪横部材の連結構造が記載されている。
【先行技術文献】
【特許文献】
【０００４】
【特許文献１】特許第３３１６５８６号
【特許文献２】実公平５−２３７５３号
【発明の開示】
【発明が解決しようとする課題】
【０００５】
本発明は、良好な防水性能を備えた金属製建具の竪枠と横枠の接続部を提供することを目的とするものである。
【課題を解決するための手段】
【０００６】
本発明が採用した技術手段は、
金属製建具の接続部の防水構造であって、
金属製建具は、いずれか一方が竪枠であり、他方が横枠である第１部材と、第２部材と、を備え、
第１部材は外側面と内側面とを備えた中空枠であり、長さ方向端部が第２部材の面部に固定されており、
前記防水構造は、
可撓性防水シートと、
外縁によって外形が規定され、前記可撓性防水シートよりも小さい外形を備えた押し当て部材と、
を備え、
前記可撓性防水シート及び前記押し当て部材は、当該可撓性防水シートの周縁部位が当該押し当て部材の外縁からはみ出したはみ出し部位を形成するように、第２部材の面部に固定されており、
前記はみ出し部位は、第１面と、第２面と、を備えており、
前記はみ出し部位は、第１部材の長さ方向に沿う第１部分と、第２部材の長さ方向に沿う第２部分と、に変形されており、
第１部材の長さ方向端部の内側面が第１部分の第１面に密着し、押し当て部材の外縁が第１部分の第２面に密着しており、
第１部材の長さ方向端部の端縁面が第２部分の第１面に密着し、第２部材の前記面部が第２部分の第２面に密着している、
金属製建具における竪枠と横枠の接続部の防水構造、である。
後述の実施形態では、押し当て部材は１枚のプレートからなるが、複数枚のプレートを密着一体化したものでもよい。
後述の実施形態では、可撓性防水シートは１枚のシートからなるが、複数枚のシートを密着一体化したものでもよい。
押し当て部材との間で、可撓性防水シートを挟み込むように他の要素（後述する第１要素）を設けてもよい。当該他の要素の外形寸法は、少なくとも押し当て部材の外形寸法と同一か、それよりも大きい寸法である。
１つの態様では、第１部材は、第２部材の面部に固定された位置決め組立体を介して当該第２部材に仮固定され、
前記位置決め組立体は、
外縁によって外形が規定され、第１部材の長さ方向端部が外嵌されるガイド体である第１要素と、
第１部材の外側形状よりも大きい面積の前記可撓性防水シートからなる第２要素と、
外縁によって外形が規定され、第１要素よりも小さい外形を備えた前記押し当て部材からなる第３要素と、
を備え、
第１要素と第３要素の間に第２要素を挟み込み、第３要素の外縁を第１要素の外縁よりも内方に位置させて第２要素を挟んで外縁の段差を形成し、第２要素の周縁部位が第１要素及び第３要素の外縁からはみ出したはみ出し部位を形成し、第３要素が第２部材の面部に当接された状態で、第２部材の面部に固定されており、
前記はみ出し部位は、第１要素側の第１面と、第３要素側の第２面と、を備えており、
前記第１部材の長さ方向端部を前記位置決め組立体に仮固定した状態において、
前記はみ出し部位は、第１部材の長さ方向に沿う第１部分と、第２部材の長さ方向に沿う第２部分と、に変形されており、
第１部材の長さ方向端部の内側面が第１部分の第１面に密着し、第３要素の外縁が第１部分の第２面に密着しており、
第１部材の長さ方向端部の端縁面が第２部分の第１面に密着し、第２部材の前記面部が第２部分の第２面に密着している。
【発明の効果】
【０００７】
本発明では、第１部材の長さ方向端部は、２つの面（第１部材の長さ方向端部の内側面とはみ出し部位の第１部分の第１面、第１部材の長さ方向端部の端縁面とはみ出し部の第２部分の第１面）によって防水シートに密着しており、第１部材と防水シートの密着面積を大きく取ることができ、また、第１部材が第２部材に対しずれたり、第２部材の面部に平滑誤差があったとしても、密着面に隙間が発生することを可及的に防止し、もって、安定した防水性能を奏する。
【図面の簡単な説明】
【０００８】
【図１】パネルの正面図であり、左側は室内側正面図、右側は室外側正面図である。
【図２】図１に示すパネルの横断面図である。
【図３】図１に示すパネルの縦断面図である。
【図４】位置決め組立体の固定を説明する分解斜視図である。
【図５】下枠の位置決め、仮固定を説明する斜視図である。
【図６】仮固定された下枠の長さ方向端部の断面図である。
【図６Ａ】図６と類似の図であり、他の実施形態を示す。
【図７】図４と類似の図であり、比較例を示す。
【図８】図５と類似の図であり、比較例を示す。
【図９】図６と類似の図であり、比較例を示す。
【発明を実施するための形態】
【０００９】
図１は、第１実施形態に係るパネルの正面図であり、左側は室内側正面図、右側は室外側正面図である。鋼製パネル１のフレームは、上枠２、下枠３、左右の竪枠４、５からなる四周枠と、左右の竪枠４、５間で水平状に延びる中間横枠６と、からなる。中間横枠６の室内側部位には、押縁７が取り付けてある。パネル１の上枠２、下枠３、左右の竪枠４、５、中間横枠６、押縁７は、鋼板を所定形状に折り曲げることで形成された中空部材である。
【００１０】
上枠２、下枠３、中間横枠６は、水平状に延びる長尺材であり、竪枠４、５は垂直状に延びる長尺材である。上枠２、左右の竪枠４、５の上側部位、中間横枠６から上側開口が形成され、中間横枠６、左右の竪枠４、５の下側部位、下枠３から下側開口が形成され、上側開口には、上枠２、左右の竪枠４、５の上側部位、中間横枠６を額縁として上側ガラス板Ｇ１が嵌め込まれており、下側開口には、中間横枠６、左右の竪枠４、５の下側部位、下枠３を額縁として下側ガラス板Ｇ２が嵌め込まれている。
【００１１】
図２に示すように、竪枠４は、室内側見付部４０と、室外側見付部４１と、室内側見付部４０と室外側見付部４１を連結するように延びる見込部４２と、を備えており、見込部４２には、高さ方向に延びる凹溝４３が形成されている。同様に、竪枠５は、室内側見付部５０と、室外側見付部５１と、室内側見付部５０と室外側見付部５１を連結するように延びる見込部５２と、を備えており、見込部５２には、高さ方向に延びる凹５３溝が形成されている。凹溝４３、５３には、ガラス板Ｇ１、Ｇ２の幅方向両端部が受け入れられて固定される。
【００１２】
図３に示すように、上枠２は、室内側見付部２０と、室外側見付部２１と、室内側見付部２０と室外側見付部２１を連結するように延びる下面２２と、を備えており、下面２２には、水平方向に延びる下向きの凹溝２３が形成されている。凹溝２３には、ガラス板Ｇ１の上端部が受け入れられて固定される。
【００１３】
図３に示すように、中間横枠６は、室内側見付部６０と、室外側見付部６１と、室内側見付部６０と室外側見付部６１の上端同士を連結する段部状の上面部と、を備えている。段部状の上面部は、室内側の第１水平面６２と、室外側の第２水平面６３と、を備え、第２水平面６３は第１水平面６２よりも高い高さ位置にあり、第１水平面６２の室外側端縁と第２水平面６３の室内側端縁とは見付部６４によって連結されている。
【００１４】
第１水平面６２には、中間横枠６の長さ方向に亘って延びる押縁７が取り付けられている。押縁７と、見付部６４と、第１水平面６２の室外側部位と、から水平方向に延びる上向きの凹溝６５が形成されている。凹溝６５には、ガラス板Ｇ１の下端部が受け入れられて固定される。
【００１５】
中間横枠６は、さらに、室内側見付部６０と室外側見付部６１の下端同士を連結するように延びる下面６６を備えており、下面６６には、水平方向に延びる下向きの凹溝６７が形成されている。凹溝６７には、ガラス板Ｇ２の上端部が受け入れられて固定される。
【００１６】
図３に示すように、下枠３は、室内側見付部３０と、室外側見付部３１と、室内側見付部３０と室外側見付部３１を連結する段部状の上面部と、を備えている。段部状の上面部は、室内側の第１水平面３２と、室外側の第２水平面３３と、を備え、第２水平面３３は第１水平面３２よりも高い高さ位置にあり、第１水平面３２の室外側端縁と第２水平面３３の室内側端縁とは見付部３４によって連結されている。下枠３の室内側見付部３０の下端、室外側見付部３１の下端には、下側水平片３６、下側水平片３７が互いに接近する方向に延出形成されている。
【００１７】
第１水平面３２には、下枠３の長さ方向に亘って延びる押縁７が取り付けられている。押縁７と、見付部３４と、第１水平面３２の室外側部位と、から水平方向に延びる上向きの凹溝３５が形成されている。凹溝３５には、ガラス板Ｇ２の下端部が受け入れられて固定される。
【００１８】
鋼製パネル１の上枠２、下枠３、左右の竪枠４、５は、鋼板を所定形状に折り曲げて形成された中空部材であり、鋼板の一方の面からなる外側面と、鋼板の他方の面からなる内側面と、を備えている。したがって、上枠２、下枠３、左右の竪枠４、５は、断面視ないし側面視において、外側面から形成された外側形状と、内側面から形成された内側形状と、を備えている。外側形状と内側形状は同一（相似形）であり、外側形状は鋼板の板厚分だけ内側形状よりも大きい。
【００１９】
上枠２、下枠３、中間横枠６、すなわち、横枠の長さ方向両端部は、竪枠４、５の見込部４２、５２の面部、すなわち見込面４２０、５２０に取り付けられる。竪枠４、５には、上枠２、下枠３、中間横枠６の高さに位置して、位置決め組立体が取り付けられている。位置決め組立体は、上枠２、下枠３、中間横枠６のそれぞれの内側形状に対応する外形を備えており、上枠２、下枠３、中間横枠６は、長さ方向両端部を、竪枠４、５の見込部４２、５２に固定された位置決め組立体に外嵌させることで位置決めして仮固定される。なお、位置決め組立体は横枠を竪枠に対して位置決めして仮固定できるものであればよく、位置決め組立体の外縁全てに横枠の内側面が接触する必要はない（例えば、特許文献１では、面部の両側部にのみ位置決めリブが形成されている。）。
【００２０】
竪枠４、５に両端部が仮固定された上枠２、下枠３、中間横枠６は、螺子等を用いて固定される。横枠と竪枠との螺子を用いた連結手段については、従来から幾つかの手法が知られており、当業者において適宜設計し得るものである。例えば、特許文献１には、竪枠側に接合部材を螺子で連結し、横枠を当該接合部材に螺子で連結する手段が記載されている。
【００２１】
図４〜図６を参照しつつ、位置決め組立体の構成について、下枠３の長さ方向端部を竪枠５に取り付けるための位置決め組立体を例として説明する。下枠３は、鋼板を所定形状に折り曲げることで形成された中空部材であり、鋼板の一方の面からなる外側面と、鋼板の他方の面からなる内側面と、を備えている。例えば、図６に示すように、室内側見付部３０は外側面３００、内側面３０１を備え、室外側見付部３１は外側面３１０、内側面３１１を備えている。室内側見付部３０の長さ方向の端部は鋼板の板厚によって形成された端縁面３０２となっており、室外側見付部３１の長さ方向の端部は鋼板の板厚によって形成された端縁面３１２となっている。
【００２２】
位置決め組立体は、第１要素８と、第２要素９と、第３要素１０と、の３つの要素から構成されており、第１要素８と、第３要素１０と、の間に第２要素９を挟み込むようにして組み立てられている。図４、図５に示すように、第１要素８、第２要素９、第３要素１０を、この順で重ね合わせた状態で、これらを貫通する複数本の螺子１１を用いて竪枠５の見込部５２に固定することで、位置決め組立体が形成される。
【００２３】
第１要素８は、下枠３の内側形状に対応する形状・寸法、及び、所定の厚さを備えたガイド体であり、第１面８０と、第２面８１と、外縁８２と、を備えている。第１要素８の輪郭形状、具体的には、外縁８２の形状・寸法が下枠３の内側形状の形状・寸法と略一致しており、下枠３の長さ方向端部を第１要素８の外縁８２に外嵌できるようになっている。なお、竪枠５に対する下枠３の長さ方向端部の位置決め及び仮固定ができるものであれば、必ずしも第１要素８の外縁８２の全てに下枠３の内側面が接触する必要はない。図示の態様では、第１要素８は鋼製のガイドプレートからなるが、ガイド体は所定の外形・寸法、厚み（あるいは、被嵌合部としてのリブやフランジ）を備えていればよく、開口状のプレートであってもよい。
【００２４】
第２要素９は、下枠３の外側形状に対応する外形・寸法、及び、可撓性を備えた防水シートであり、第１面９０と、第２面９１と、を備えている。第２要素９の外形は、下枠３の外側形状、第１要素８の外形と略同じ形状を備えており、下枠３の外側形状及び第１要素８の外形よりも大きい寸法となっている。第２要素９は典型的には、弾性変形可能な防水ゴムシートである。
【００２５】
第３要素１０は、第１要素８と略同じ形状（相似形）で、第１要素８よりも小さい外形、所定の厚さを備えたプレート状の押し当て部材であり、第１面１００と、第２面１０１と、外縁１０２と、を備えている。図示の態様では、第３要素１０は鋼製プレートからなるが、第３要素１０は所定の外形・寸法、厚みを備えていればよく、開口状のプレートであってもよい。
【００２６】
第１要素８、第２要素９、第３要素１０を、この順で重ね合わせると、第２要素９の第１面９０が第１要素８の第２面８１に接触し、第２要素９の第２面９１が第３要素１０の第１面１００に接触し、第３要素１０の第２面１０１が竪枠５の見込面５２０に接触した状態となる。この状態において、第２要素９は第１要素８、第３要素１０に対して大きい面積を備えているため、第１要素８の外縁８２、第３要素１０の外縁１０２から、第２要素９の周縁部位がはみ出してはみ出し部位９２を形成する。第３要素１０の外形寸法は第１要素８の外形寸法よりも小さく、第３要素１０の外縁１０２は第１要素８の外縁８２の内方に位置しているため、はみ出し部位９２において、第２面９１（図６において、第２要素９の第２面９１と竪枠５の見込面５２０との接触面＋第２要素９の第２面９１と第３要素１０の外縁１０２との接触面＋第２要素２の第２面９１において第３要素１０の外縁１０２に隣接する湾曲部）の面積は第１面９０（図６において、第２要素９の第１面９０と下枠３の端縁面３０２、３１２との接触面＋第２要素９の第１面９０と下枠３の内側面３０１、内側面３１１との接触面＋第２要素９の第１面９０において第１要素８の外縁８２に隣接する湾曲部）の面積よりも大きい。図５では、はみ出し部位９２の第１面９０側が示してある（はみ出し部位９２の第２面９１側は隠れている。）。
【００２７】
図５に示す位置決め組立体に対して、下枠３の長さ方向端部を外嵌させると、下枠３の長さ方向の端縁面（図６において端縁面３０２、３１２のみを図示する）が、第２要素９のはみ出し部位９２の第１面９０（より第２要素９の縁部に近い部位）に当接し、はみ出し部位９２を竪枠５の見込面５２０に押し付ける。この時、はみ出し部位９２は可撓性のゴムシートからなるので、下枠３の内側面３０１、内側面３１１と第３要素１０の外縁１０２との段差、及び、第１要素８の外縁８２と第３要素１０の外縁１０２との段差によって、はみ出し部位９２の第２面９１が第３要素１０の外縁１０２に接触するように曲げ変形され、はみ出し部位９２の曲げ変形に伴い、はみ出し部位９２の第１面９０（端縁面３０２、３１２が当接した部位よりも内方の部位）が下枠３の内側面（図６において、内側面３０１、３１１のみを示す）に接触する。
【００２８】
図６に示すように、位置決め組立体に下枠３の長さ方向端部を外嵌させた状態では、はみ出し部位９２は、下枠３（横枠）の長さ方向に延びる第１部分９２０と、竪枠５の長さ方向に延びる第２部分９２１とに曲げ変形された状態となる。第１部分９２０において、下枠３の内側面（図６において、内側面３０１、３１１のみを示す）が第１部分９２０の第１面９０に面接触し、第３要素１０の外縁１０２が第１部分９２０の第２面９１に面接触している。第２部分９２１において、下枠３の長さ方向の端縁面（図６において端縁面３０２、３１２のみを図示する）が第２部分９２１の第１面９０に面接触し、竪枠５の見込面５２０が第２部分９２１の第２面９１に面接触している。したがって、下枠３の長さ方向端部は、互いに角度（略９０度）を持って延びる２つの面（下枠３の長さ方向端部の内側面と第１部分９２０の第１面９０、下枠３の長さ方向端部の端縁面と第２部分９２１の第１面９０）によって第２要素９、すなわち、防水ゴムシートに密着している。また、図示の態様では、下枠３の長さ方向端部の端縁面の全周に亘って第２要素（防水ボムシート）９が密着しているが、前記端縁面の一部にのみ第２要素９が密着するようにしてもよい。例えば、図３において、ガラス板Ｇ１、Ｇ２を挟んで、室外側に位置する部位にのみ第２要素９が密着するようにしてもよい。
【００２９】
［比較例］
図７〜図９に示す比較例について説明する。同一ないし類似の構成要素には明細書全体を通して共通の参照番号を付してある。比較例では、下枠３の長さ方向端部の位置決め、仮固定を行うガイド体８´を、防水ゴムシート９´を介して、螺子１１で竪枠５の見込部５２に固定している。防水ゴムシート９´の面積はガイド体８´の面積よりも大きく、防止ゴムシート９´の周縁にははみ出し部が形成されている。下枠３の長さ方向端部をガイド体８´に外嵌した時には、下枠３の長さ方向の端縁面（図９において端縁面３０２、３１２のみを図示する）がはみ出し部に当接した状態となる。すなわち、下枠３の長さ方向端部は、１つの面によってのみ防水ゴムシート９´に面接触している。
【００３０】
下枠３の端縁面は、下枠３の板厚によって決定され、例えば、１．５ｍｍであり、建築用パネルが風圧を受けた場合等に、雨水が下枠３の内部に浸水するおそれがある。また、竪枠５は鋼板の曲げ加工で形成されているので、見込面５２０が完全に平らでない場合もあり得る。そのような場合には、下枠３の端縁面と防水ゴムシート９´の接触面に隙間が生じ易く、下枠３内部への浸水のおそれがある。
【００３１】
［本実施形態の有利な作用効果］
これに対して本実施形態では、下枠３の長さ方向端部は、２つの面（下枠３の長さ方向端部の内側面と第１部分９２０の第１面９０、下枠３の長さ方向端部の端縁面と第２部分９２１の第１面９０）によって防水ゴムシートである第２要素に密着しており、比較例に比べて、下枠３と防水ゴムシートとの密着面積を大きく取ることができる。
【００３２】
下枠３の長さ方向端部は、互いに角度（略９０度）を持って延びる前記２つの面によって防水ゴムシートである第２要素に密着しているので、風圧等で下枠３が竪枠５に対して動いたりずれたりしたとしても、２つの密着面が下枠３に対して追従するため密着性を維持することができ、また、竪枠５の見込面５２０に平滑誤差があったとしても、下枠３と防水ゴムシートの接触面に隙間が発生することを可及的に防止する。
【００３３】
［他の実施形態］
本発明の他の実施形態を図６Ａに基づいて説明する。上述の実施形態では、第１要素８と、第２要素９と、第３要素１０と、の３つの要素から構成された位置決め組立体を用いた防水構造について説明したが、第１要素８を用いずに防水構造を構成してもよい。図６Ａには、可撓性防水シート９Ａと、外縁によって外形が規定され、可撓性防水シート９Ａよりも小さい外形を備えた押し当て部材１０Ａと、を用いた防水構造が示されている。可撓性防水シート９Ａ、押し当て部材１０Ａは、それぞれ第１面、第２面を備えており、具体的な構成は、第２要素９、第３要素１０と実質的に同じであるので、各部位については上述の実施形態と同じ参照番号を用いて説明する。なお、１つの態様では、はみ出し部位９２のはみ出し寸法、及び、押し当て部材１０Ａの厚さを幾分大きくする。
【００３４】
可撓性防水シート９Ａ、押し当て部材１０Ａを、この順で重ね合わせると、可撓性防水シート９Ａの第２面９１が押し当て部材１０Ａの第１面１００に接触し、押し当て部材１０Ａの第２面１０１が竪枠５の見込面５２０に接触した状態となる。この状態において、可撓性防水シート９Ａは押し当て部材１０Ａに対して大きい面積を備えているため、押し当て部材１０Ａの外縁１０２から、可撓性防水シート９Ａの周縁部位がはみ出してはみ出し部位９２を形成する。可撓性防水シート９Ａ及び押し当て部材１０Ａは、例えば、図示しない螺子を用いて竪枠５の見込面５２０に固定される。
【００３５】
可撓性防水シート９Ａ及び押し当て部材１０Ａが固定された竪枠５の見込面５２０に対して、下枠３の長さ方向端部を押し当てて取り付けると、下枠３の長さ方向の端縁面（図６Ａにおいて端縁面３０２、３１２のみを図示する）が、可撓性防水シート９Ａのはみ出し部位９２の第１面９０（より可撓性防水シート９Ａの縁部に近い部位）に当接し、はみ出し部位９２を竪枠５の見込面５２０に押し付ける。この時、はみ出し部位９２は可撓性のゴムシートからなるので、下枠３の内側面３０１、内側面３１１と押し当て部材１０Ａの外縁１０２との段差によって、はみ出し部位９２の第２面９１が押し当て部材１０Ａの外縁１０２に接触するように曲げ変形され、はみ出し部位９２の曲げ変形に伴い、はみ出し部位９２の第１面９０（端縁面３０２、３１２が当接した部位よりも内方の部位）が下枠３の内側面（図６Ａにおいて、内側面３０１、３１１のみを示す）に接触する。
【００３６】
図６Ａに示すように、はみ出し部位９２は、下枠３（横枠）の長さ方向に延びる第１部分９２０と、竪枠５の長さ方向に延びる第２部分９２１とに曲げ変形された状態となる。第１部分９２０において、下枠３の内側面（図６Ａにおいて、内側面３０１、３１１のみを示す）が第１部分９２０の第１面９０に面接触し、押し当て部材１０Ａの外縁１０２が第１部分９２０の第２面９１に面接触している。第２部分９２１において、下枠３の長さ方向の端縁面（図６Ａにおいて端縁面３０２、３１２のみを図示する）が第２部分９２１の第１面９０に面接触し、竪枠５の見込面５２０が第２部分９２１の第２面９１に面接触している。したがって、下枠３の長さ方向端部は、互いに角度（略９０度）を持って延びる２つの面（下枠３の長さ方向端部の内側面と第１部分９２０の第１面９０、下枠３の長さ方向端部の端縁面と第２部分９２１の第１面９０）によって可撓性防水シート９Ａに密着している。
【符号の説明】
【００３７】
２  上枠
３  下枠
３００  外側面
３０１  内側面
３０２  端縁面
３１０  外側面
３１１  内側面
３１２  端縁面
４  竪枠
４２０  見込面
５  竪枠
５２０  見込面
６  中間横枠
８  第１要素
９  第２要素
９Ａ  可撓性防水シート
９０  第１面
９１  第２面
９２  はみ出し部位
９２０  第１部分
９２１  第２部分
１０  第３要素
１０Ａ  押し当て部材
【図１】
2014125836.tif 000003
【図２】
2014125836.tif 000004
【図３】
2014125836.tif 000005
【図４】
2014125836.tif 000006
【図５】
2014125836.tif 000007
【図６】
2014125836.tif 000008
【図６Ａ】
2014125836.tif 000009
【図７】
2014125836.tif 000010
【図８】
2014125836.tif 000011
【図９】
2014125836.tif 000012